(57)【特許請求の範囲】
【請求項１】
室内と天井裏空間とを仕切る仕切構造に開設した開口部に、機器本体の外殻に構成したフランジをネジ締めして固定する機器について、前記機器本体の取付け前に、前記開口部の仕切構造の口縁に装着する保持金具と、前記機器本体の前記開口部への取付け後に前記保持金具に装着する止金具とからなり、前記保持金具は、前記仕切構造をその室内側と天井裏側にわたり抱込むチャンネル形をなし、その室内側のフランジ部より突出し横孔を開けたウェブ部延出部を有し、前記機器本体のフランジにはこのウェブ部延出部を抜通す通孔を設け、前記機器本体のフランジの通孔から抜き通した前記ウェブ部延出部の前記横孔に前記止金具をかんぬき状に装着した機器落下防止金具。
【請求項２】
請求項１に記載の機器落下防止金具であって、止金具にこの止金具のウェブ部延出部の横孔からの抜出を規制する固定構造を設けた機器落下防止金具。
【発明の詳細な説明】
【０００１】
【発明の属する技術分野】
本発明は、室内と天井裏空間とを仕切る仕切構造に開設した開口部に装着される換気装置等の機器の落下を防止する機器落下防止金具に関するものである。
【０００２】
【従来の技術】
室内と天井裏空間とを仕切る仕切構造に開設した開口部に装着される換気装置や暖房機等の機器は、大型のものではアンカーボルト等で吊り固定されるが、比較的質量の小さなものは、機器本体の外殻に構成したフランジを仕切構造の野縁や天井板にネジ締めして装着されている。固定強度は、所定のネジを使い設計通り装着された場合には十分確保されているが、万全を帰す意味で落下防止策が講じられているものもある。例えば、野縁等へ本体をネジ固定した後、仕切構造の開口部より張出し量の大きい金具を本体の外殻に固定したり、仕切構造に固定した本体の内側から仕切構造を跨ぐコ状の金具を差込んだりしている。
【０００３】
【発明が解決しようとする課題】
上記した従来の機器落下に関する防止策において、仕切構造の開口部より張出し量の大きい金具を外殻に固定するものでは、機器の点検や修理・交換に当り機器を取外す必要が生じた場合、天井板等の取外しが必要になり随分、厄介な手間がかかる。また、仕切構造を跨ぐコ状の金具を使うものは、特定の機器については適用できるものの、外殻の内部の当該位置に仕切構造があったり、構造部材があったりする機器には適用できないといった問題点がある。
【０００４】
本発明は、係る従来の問題点を解決するためになされたものであって、その課題とするところは、機器の取外しが可能であり、各種の構成の天井取付型の機器に適用できる機器落下防止金具を得ることである。
【０００５】
【課題を解決するための手段】
前記課題を達成するために請求項１の発明は、室内と天井裏空間とを仕切る仕切構造に開設した開口部に、機器本体の外殻に構成したフランジをネジ締めして固定する機器について、その機器本体の取付け前に、開口部の仕切構造の口縁に装着する保持金具と、機器本体の開口部への取付け後に保持金具に装着する止金具とから構成し、その保持金具は、仕切構造を室内側と天井裏側にわたり抱込むチャンネル形をなし、その室内側のフランジ部より突出し横孔を開けたウェブ部延出部を有し、機器本体のフランジにはこのウェブ部延出部を抜通す通孔を設け、機器本体のフランジの通孔から抜通したウェブ部延出部の横孔に止金具をかんぬき状に装着する手段を採用する。
【０００６】
前記課題を達成するために請求項２の発明は、請求項１に係る前記手段における止金具に、止金具のウェブ部延出部の横孔からの抜出を規制する固定構造を設ける手段を採用する。
【０００７】
【発明の実施の形態】
図１〜図４によって示す本実施の形態は、室内と天井裏空間とを仕切る仕切構造１に開設した開口部２に装着される暖房装置等の機器の落下を防止する機器落下防止金具に関するものである。機器本体３は、図１に示すように室内と天井裏空間とを仕切る仕切構造１に開設した野縁４と天井板５とで形成された開口部２に、機器本体３の外殻に構成した取付フランジ６を複数箇所において天井板５及び野縁４にネジ締めして固定するものである。
【０００８】
機器落下防止金具は、図２に示すように機器本体３の仕切構造１への取付け前に、開口部２の仕切構造１の口縁に装着する保持金具７と、機器本体３の開口部２への取付け後に保持金具７に装着する止金具８とから構成されている。保持金具７は、仕切構造１を室内側と天井裏側にわたり抱込むチャンネル形に形成され、その室内側のフランジ部９より突出し角形の横孔１０を開けたウェブ部延出部１１を有している。ウェブ部延出部１１は、切起こしにより形成され、その横孔１０は機器本体３の取付フランジ６の厚み分ウェブ部１２より離れた位置に開けられている。切起こしによる開放部のあるフランジ部９には機器本体３の取付フランジ６に形成されたネジ挿通孔１３に適合するネジ挿通孔１４が開けられている。
【０００９】
機器本体３の取付フランジ６には、保持金具７のウェブ部延出部１１を抜通す通孔１５とネジ挿通孔１４に適合するネジ挿通孔１３と通孔１５に隣接してネジ挿通孔１６が設けられている。機器本体３を仕切構造１に装着する前に、保持金具７をそのウェブ部延出部１１が室内側になるように二つのフランジ部９が仕切構造１の室内側と天井裏側になるように口縁に装着する。機器本体３の取付位置における取付フランジ６の通孔１５にウェブ部延出部１１が対応する位置に位置合わせし、機器本体３を仕切構造１の開口部２に嵌め、取付フランジ６の複数のネジ挿通孔１３からネジ１７を天井板５及び野縁４にネジ締めして機器本体３を仕切構造１に固定する。保持金具７のネジ挿通孔１４と取付フランジ６の適合するネジ挿通孔１３にもネジが挿通され共締めにされる。
【００１０】
この状態で機器本体３の取付フランジ６の通孔１５から保持金具７のウェブ部延出部１１が室内側に突出している。通孔１５から抜出したウェブ部延出部１１の横孔１０に平面凸形に形成された止金具８を横方向からかんぬき状に装着する。止金具８に設けられたネジ挿通孔１６から取付フランジ６のネジ挿通孔１６を通じてネジ１７を仕切構造１にネジ締めして機器本体３の取付けが完了する。
【００１１】
保持金具７のウェブ部１２の立寸法は、仕切構造１の厚みより若干大きくなっていて、いずれの仕切構造１に対しても取付けることができる。機器本体３の取付フランジ６を固定しているネジ１７がなんらかの原因で脱落又は破損した場合でも、取付フランジ６と落下防止金具とは連結状態にあり、保持金具７のフランジ部９は仕切構造１を抱かえているため、図４のように仕切構造１の開口部２に機器本体３は落下防止金具を支点に回動して止まり、鉛直下方に落下することはない。また、止金具８もネジ締めされているので不用意に横孔１０から抜出することもない。
【００１２】
機器本体３の取外しは止金具８を外せば、装着時と逆手順で容易に行うことができる。この落下防止金具は、機器本体３の内側から装着するものではないので、機器本体３の内側構造に依存することなく、各種の天井取付型の機器に適用することができる。
【００１３】
【発明の効果】
請求項１の発明によれば、機器の取外しが可能であり、各種の構成の天井取付型の機器に適用できる機器落下防止金具が得られる。
【００１４】
請求項２の発明によれば、請求項１に係る前記効果とともに止金具の止め機能が向上し、より安定した落下防止機能が得られる。
【図面の簡単な説明】
【図１】  実施の形態の機器落下防止金具を取付状態で示す断面図である。
【図２】  実施の形態の機器落下防止金具の構成を示す分解斜視図である。
【図３】  実施の形態の機器落下防止金具を機器との取付状態で示す断面図である。
【図４】  実施の形態の機器落下防止金具の機能を示す断面図である。
【符号の説明】
１  仕切構造、  ２  開口部、  ３  機器本体、  ６  取付フランジ、  ７  保持金具、  ８  止金具、  ９  フランジ部、  １０  横孔、  １１  ウェブ部延出部、  １５  通孔、  １６  ネジ挿通孔、  １７  ネジ。
【図１】
0003815377.tif 000002
【図２】
0003815377.tif 000003
【図３】
0003815377.tif 000004
【図４】
0003815377.tif 000005